(57)【要約】【課題】その平面にプリザーブドフラワーを直接的に接着するとの全く新しい視点による装飾手法により装飾するに際して、生花や当該生花を保存処理加工した花、あるいは造花を接着する接着面を広く確保すること、及び接着面が外観に影響しないようにした花器を提供する。【解決手段】この花器１は、平面部２と、平面部２の外縁部分を周回するように形成された所定の高さの隆起部３と、を有し、上記隆起部３により囲まれた平面に、生花、生花に保存処理を施した花、造花の少なくともいずれかを接着する。所定の高さは、１ｍｍ〜２０ｍｍ、好ましくは３ｍｍ〜１０ｍｍであってよい【選択図】図１
0003198144.tif 000002
【実用新案登録請求の範囲】
【請求項１】
平面部と、
上記平面部の上に形成された所定の深さの溝部と、を有し、
上記溝部に生花、生花に保存処理を施した花、造花の少なくともいずれかを接着したことを特徴とする花器。
【請求項２】
上記所定の深さは、１ｍｍ〜２０ｍｍである
請求項１に記載の花器。
【請求項３】
上記所定の深さは、３ｍｍ〜１０ｍｍである
請求項２に記載の花器。
【請求項４】
平面部と、
上記平面部の上に形成された１ｍｍ〜２０ｍｍの深さの溝部と、を有し、
上記溝部にかさ上げ部材を搭置した後、上記かさ上げ部材の上に生花、生花に保存処理を施した花、造花の少なくともいずれかを接着することを特徴とする花器。
【請求項５】
平面部と、
上記平面部の外縁部分を周回するように形成された所定の高さの隆起部と、を有し、
上記隆起部により囲まれた平面に、生花、生花に保存処理を施した花、造花の少なくともいずれかを接着することを特徴とする花器。
【請求項６】
上記所定の高さは、１ｍｍ〜２０ｍｍである
請求項５に記載の花器。
【請求項７】
上記所定の高さは、３ｍｍ〜１０ｍｍである
請求項６に記載の花器。
【請求項８】
平面部と、
上記平面部の外縁の一部に形成された所定の高さの隆起部と、を有し、
上記平面部のうち上記隆起部より低い平面に、生花、生花に保存処理を施した花、造花の少なくともいずれかを接着することを特徴とする花器。
【請求項９】
上記所定の高さは、１ｍｍ〜２０ｍｍである
請求項８に記載の花器。
【請求項１０】
上記所定の高さは、３ｍｍ〜１０ｍｍである
請求項９に記載の花器。
【請求項１１】
平面部と、
上記平面部の外縁部分の一部に形成された所定の高さの隆起部と、を有し、
上記平面部のうち上記隆起部より低い平面に、かさ上げ部材を載置し、当該かさ上げ部材の上に、生花、生花に保存処理を施した花、造花の少なくともいずれかを接着することを特徴とする花器。
【請求項１２】
生花、生花に保存処理を施した花、造花の少なくともいずれかを直接的に接着する平面を有する花器。
【考案の詳細な説明】
【技術分野】
【０００１】
本考案は、その表面に生花や生花を保存処理加工した花、あるいは造花を接着することで全体として華やかな装飾品を作り上げるための花器に関する。
【背景技術】
【０００２】
従来、生花に加えて、当該生花を保存処理加工した花であるプリザーブドフラワー（登録商標）を用いた装飾品が市場に出回っている。
【０００３】
例えば、特許文献１では、プリザーブドフラワーを覆う透明容器を用いたプリザーブドフラワー装飾用容器が開示されている。同容器では、受け皿にプリザーブドフラワー花部の茎を固定できる貫通孔が設けられている。
【０００４】
さらに、特許文献２では、プリザーブドフラワーを透明容器に封入せずに、露出して展示する装飾品が開示されている。同装飾品では、花器の上面開口にプリザーブドフラワーが着脱自在に差し込まれている。
【先行技術文献】
【特許文献】
【０００５】
【特許文献１】特開２００７−４４４５１号公報
【特許文献２】実用新案登録第３１８８５２３号公報
【考案の概要】
【考案が解決しようとする課題】
【０００６】
しかしながら、特許文献１に係る装飾用容器では、受け皿の貫通孔にプリザーブドフラワーを差し込んで固定するタイプであるため、展示できるプリザーブドフラワーの数はその孔の数により制限され、アレンジの自由度を損ねていた。
【０００７】
さらに、特許文献２に係る装飾品では、縦長の花器の上面開口にプリザーブドフラワーを差し込むタイプであるため、装飾に用いるプリザーブドフラワーはある程度の茎の長さを要し、更に単に差し込むだけであるため、複数のプリザーブドフラワー相互の位置関係を調整し難く、全体としてアレンジの自由度に限界があった。
【０００８】
本考案は、かかる課題に鑑みてなされたものであり、その平面にプリザーブドフラワーを直接的に接着するとの全く新しい視点による装飾手法により装飾するに際して、生花や当該生花を保存処理加工した花、あるいは造花を接着する接着面を広く確保すること、及び接着面が外観に影響しないようにした花器を提供することを目的とする。
【課題を解決するための手段】
【０００９】
上記課題を解決するため、本考案の一つの態様に係る花器は、平面部と、上記平面部の上に形成された所定の深さの溝部と、を有し、上記溝部に生花、生花に保存処理を施した花、造花の少なくともいずれかを接着したことを特徴としている。ここで、上記所定の深さは、１ｍｍ〜２０ｍｍ、好ましくは３ｍｍ〜１０ｍｍであってよい。
【考案の効果】
【００１０】
本考案によれば、その平面にプリザーブドフラワーを直接的に接着するとの全く新しい視点による装飾手法により装飾するに際して、生花や当該生花を保存処理加工した花、あるいは造花を接着する接着面を広く確保すること、及び接着面が外観に影響しないようにした花器を提供することができる。
【図面の簡単な説明】
【００１１】
【図１】（ａ）は本考案の第１実施形態に係る花器の斜視図、（ｂ）は当該花器の一部断面図である。
【図２】（ａ）は本考案の第２実施形態に係る花器の斜視図、（ｂ）は当該花器の一部断面図である。
【図３】（ａ）は本考案の第３実施形態に係る花器の斜視図、（ｂ）は当該花器の一部断面図である。
【図４】花器に増加や生花、一部乾燥した花を接着剤で接着して作成した装飾品の一例を示す図である。
【考案を実施するための形態】
【００１２】
以下、図面を参照して、本考案の第１乃至第３実施形態について説明する。
【００１３】
＜第１実施形態＞
図１には、本考案の第１実施形態に係る花器の構成を示し説明する。より詳細には、図１（ａ）は第１実施形態に係る花器の斜視図を示し、図１（ｂ）は図１（ａ）のＡＡ’線での断面図を示している。
【００１４】
これらの図に示されるように、この花器１は、上方から見た平面部２の形状がハート型となっており、側面部４は略円弧状に膨らんだ形状で周回され、底面部６は平坦でその中央部に円形の開口部６が設けられた立体形状となっている。そして、平面部２の縁部分には、隆起した隆起部３が平面部２を取り囲むように周回し連続して形成されている。より詳細には、この隆起部３は、平面部２の縁部分で当該平面部２に垂直な方向に立脚した立脚部３ａと、当該立脚部３ａより連続し所定の曲率で緩やかな曲線を描くように側面部４へと連続する曲面部３ｂと、からなる。これは、視点を変えれば、平面部２は、花器１の上面において所定の深さの溝部を形成しているともいえる。
【００１５】
この平面部２、つまり溝部の所定の深さは、例えば、１ｍｍ〜２０ｍｍ、好ましくは３ｍｍ〜１０ｍｍであってよい。第１実施形態では、溝部の所定の深さは、３ｍｍとしているが、これには限定されない。これは、視点を変えれば、平面部２の縁部分に形成された隆起部３の当該平面部２の平面からの高さが、例えば、１ｍｍ〜２０ｍｍ、好ましくは３ｍｍ〜１０ｍｍであってよいことを意味する。そして、第１実施形態では、隆起部３の平面部２の平面からの高さは、３ｍｍとしているが、これには限定されない。
【００１６】
このような構成において、上記所定の高さの隆起部３により取り囲まれた平面部２、つまり溝部には、生花、当該生花に保存処理を施した花（プリザーブドフラワー）、あるいは造花が接着剤等により直接的に接着される。このように直接的に生花やプリザーブドフラワーの茎部分を平面部２に接着する場合でも、平面部２が隆起部３により取り囲まれているので、接着部分は隠されて目視されないので、全体のデザイン性は向上する。また、平面部２に直接的に接着するので、生花やプリザーブドフラワー等の茎部分は短くてもよいので、その長短を調整することで多様なデザインが可能となり、装飾品としてのデザインの自由度が向上することにもなる。
【００１７】
また、平板部材の中心部がドーム型に隆起した透明部材からなるかさ上げ部材を平面部２に接着し、当該かさ上げ部材の上に生花やプリザーブドフラワーを接着することもできる。その場合、隆起部３が、かさ上げ部材が平面部２からずれて外れるのを防止するのに寄与する。また、かさ上げ部材は、中央の隆起部分をドーム型とした場合、接着する生花やプリザーブドフラワーの角度を任意の角度に調整することができるので、デザインの自由度は更に高まり、全体として立体的な接着も可能となる。
【００１８】
＜第２実施形態＞
図２には、本考案の第２実施形態に係る花器の構成を示し説明する。より詳細には、図２（ａ）は第２実施形態に係る花器の斜視図を示し、図２（ｂ）は図２（ａ）のＢＢ’線での断面図を示している。
【００１９】
これらの図に示されるように、この花器１１は、上方から見た平面部１２の形状が略三角形となっており、その全体は略三角柱形状となっている。２枚の側面部１４は平坦であるが、側面１５は２枚の側面部１４をつなぐように円弧状に湾曲している、そして、底面部１６には、その中央に開口部１７が設けられている。そして、平面部１２の縁部分の一部には、隆起した隆起部１３が形成されている。より詳細には、この隆起部１３は、側面部１５に連続するように形成されており、平面部１２の縁部分で当該平面部１２に略垂直な方向に立脚した立脚部１３ａと、当該立脚部１３ａより連続し所定の曲率で緩やかな曲線を描くように側面部１５へと連続する曲面部１３ｂと、からなる。
【００２０】
この花器１１の平面部１２の縁部分の一部に形成された隆起部１３の当該平面部１２の平面からの高さは、例えば、１ｍｍ〜２０ｍｍ、好ましくは３ｍｍ〜１０ｍｍであってよい。第２実施形態に係る花器１１では、隆起部１３の平面部１２の平面からの高さは、３ｍｍとしているが、これには限定されない。
【００２１】
このような構成において、平面部１２には、生花、及び生花に保存処理を施した花（プリザーブドフラワー）、或は造花の少なくともいずれかが直接的に接着される。即ち、縁部分の一部に所定の高さの隆起部１３を備えた平面部１２には、生花、当該生花に保存処理を施した花、あるいは造花が接着剤等により直接的に接着される。このように直接的に生花やプリザーブドフラワーの茎部分を平面部１２に接着する場合でも、平面部１２が隆起部１３を備えているので、接着部分の一部は隠されて目視されないので、全体のデザイン性は向上する。また、平面部１２に直接的に接着するので、生花やプリザーブドフラワー等の茎部分は短くてもよく、その長短を調整することで多様なデザインが可能となり、装飾品としてのデザインの自由度が向上する。また、ここでは図示しないが、第１実施形態と同様にかさ上げ部材を介して生花、生花に保存処理を施した花、あるいは造花を接着するようにしてもよい。
【００２２】
＜第３実施形態＞
図３には、本考案の第３実施形態に係る花器の構成を示し説明する。より詳細には、図３（ａ）は第３実施形態に係る花器の斜視図を示し、図３（ｂ）は図３（ａ）のＣＣ’線での断面図を示している。
【００２３】
これらの図に示されるように、この第３実施形態に係る花器２１は、全体形状が略直方体形状となっており、平面部２２は、側面部２３，２４に対して底面部２５に平行な方向に突出した突出部２７を有している。このような突出部２７を形成することで、生花や生花に保存処理を施した花等の接着面積を広くすることを可能としている。尚、底面部２５には、略中央部に開口部２６が形成されている。
【００２４】
このような構成において、花器２１の平面部２２には、その突出部２７も含めて、それらの平面上に、生花、生花に保存処理を施した花、及び造花の少なくともいずれかが直接的に接着されることで、装飾品が構成される。
【００２５】
最後に、図４には、第１実施形態に係る花器に実際に保存処理加工された花を接着し装飾品とした様子を示している。同図からも明らかなように、生花、生花に保存処理を施した花等を立体的に配設することができ、しかも接着面は隠され、全体的なデザイン性が向上されていることが分かる。
【００２６】
以上説明した第１乃至第３実施形態によれば以下の効果が奏される。
（１）平面部の縁部分に隆起した隆起部が当該平面部を取り囲むように周回し連続して形成されている花器が提供される。隆起部により取り囲まれた平面部は、いわゆる溝部としても捉えることができ、生花や生花に保存処理を施した花、造花を接着剤により接着するときにも隆起部により接着部が隠されるので、デザイン性が向上する。
（２）平面部の縁部分に隆起した隆起部が当該平面部を取り囲むように周回し連続して形成されている花器において、平面部にかさ上げを載置し、その上に生花や生花に保存処理を施した花、造花を接着することで、立体的なデザインを実現することができる。
（３）平面部の縁部分の一部に隆起した隆起部が形成された花器が提供される。隆起部は平面部における生花等の接着面の一部を隠すので、デザイン性は向上する。
（４）平面部が側面部に対して底面部に平行な方向に突出した突出部を有した花器が提供される。この突出部により生花や生花に保存処理を施した花等の接着面積を広げることが可能である。
【００２７】
以上、本考案の第１乃至第３実施形態について説明したが、本考案はこれらに限定されることなく、その趣旨を逸脱しない範囲で種々の改良・変更が可能である。例えば、花器の全体的な外観形状は、前述したようなハート型慶所、ケーキ型形状、あるいは直方体形状に限定されず、種々の形状とすることができる。
【符号の説明】
【００２８】
１  花器
２  平面部
３  隆起部
４  側面部
５  底面部
６  開口部
１１  花器
１２  平面部
１３  隆起部
１４  側面部
１５  側面部
１６  底面部
１７  開口部
２１  花器
２２  平面部
２３  側面部
２４  側面部
２５  底面部
２６  開口部
２７  突出部
【図１】
0003198144.tif 000003
【図２】
0003198144.tif 000004
【図３】
0003198144.tif 000005
【図４】
0003198144.tif 000006